(57)【要約】【課題】占有空間が小さいグローバルポジショニングシステムアンテナを提供すること。【解決手段】本発明に係るグローバルポジショニングシステムアンテナは、開始端部と、互いに異なる平面に位置する第一屈曲部及び第二屈曲部と、を有する放射体を備える。前記第一屈曲部と前記開始端部との間には、スロットが設けられる。前記第二屈曲部は、前記第一屈曲部に連接され且つ開口方向が相反する第一凹状切欠部及び第二凹状切欠部を有する。【選択図】図１
2012016010.tif 000002
【特許請求の範囲】
【請求項１】
開始端部と、互いに異なる平面に位置する第一屈曲部及び第二屈曲部と、を有する放射体を備え、前記第一屈曲部と前記開始端部との間にはスロットが設けられ、
前記第二屈曲部は、前記第一屈曲部に連接され且つ開口方向が相反する第一凹状切欠部及び第二凹状切欠部を有することを特徴とするグローバルポジショニングシステムアンテナ。
【請求項２】
前記放射体は、前記開始端部の末端に連結される延伸部をさらに備え、前記開始端部、前記延伸部及び前記第一屈曲部が同一平面に設置されることを特徴とする請求項１に記載のグローバルポジショニングシステムアンテナ。
【請求項３】
前記第一屈曲部は、順次に連接する第一連接部、第二連接部及び第三連接部を備え、前記第一連接部は前記延伸部に連接され、前記第三連接部及び前記第一連接部は、それぞれ前記第二連接部の両端に直交して連接されることを特徴とする請求項２に記載のグローバルポジショニングシステムアンテナ。
【請求項４】
前記第二屈曲部は、互いに連接する移行部及び延長部を備え、前記移行部は前記第一屈曲部の第三連接部の末端に円弧面状の連結部を介して連接され、前記第一凹状切欠部及び前記第二凹状切欠部は前記延長部に設けられることを特徴とする請求項３に記載のグローバルポジショニングシステムアンテナ。
【請求項５】
前記延長部は、方形波周期状に形成された帯状体であることを特徴とする請求項４に記載のグローバルポジショニングシステムアンテナ。
【請求項６】
前記開始端部の一方側の側辺に連接するフィードイン端をさらに備え、該フィードイン端が、前記開始端部の側辺から折り曲げられて前記開始端部の他方側の側辺まで斜めに延伸することを特徴とする請求項１から５の何れか一項に記載のグローバルポジショニングシステムアンテナ。
【請求項７】
前記フィードイン端に並列して設けられるアース端を備えることを特徴とする請求項６に記載のグローバルポジショニングシステムアンテナ。
【請求項８】
フレキシブルプリント配線板を基材とすることを特徴とする請求項１から７の何れか一項に記載のグローバルポジショニングシステムアンテナ。
【発明の詳細な説明】
【技術分野】
【０００１】
本発明は、アンテナに関し、特にグローバルポジショニングシステムアンテナに関するものである。
【背景技術】
【０００２】
現在、グローバルポジショニングシステム（Ｇｌｏｂａｌ  Ｐｏｓｉｔｉｏｎｉｎｇ  Ｓｙｓｔｅｍ，  ＧＰＳ）アンテナの設計様式には、主に以下の様式がある。１つは平板セラミックアンテナであり、もう１つは平面逆Ｆアンテナ（Ｐｌａｎａｒ  Ｉｎｖｅｒｔｅｄ−Ｆ  Ａｎｔｅｎｎａ，  ＰＩＦＡ）の中にＧＰＳ部分を付け加えるものである。しかし、平板セラミックアンテナでは、そのマイクロストリップが一般的に高誘電体基板に設けられ、且つその全体が携帯電話の頂端に設置されるので、損傷し易い。また、ＰＩＦＡアンテナでは、その中に設けられるＧＰＳ部分の占有面積が大きく、自身の敏感度も低い。
【発明の概要】
【発明が解決しようとする課題】
【０００３】
本発明は、上記の問題点を考慮してなされたものであり、占有空間が小さいグローバルポジショニングシステムアンテナを提供することを目的とする。
【課題を解決するための手段】
【０００４】
上記の目的を達成するために、本発明に係るグローバルポジショニングシステムアンテナは、開始端部と、異なる平面に位置する第一屈曲部及び第二屈曲部と、を含む放射体を備える。前記第一屈曲部と前記開始端部との間には、スロットが設けられる。前記第二屈曲部は、前記第一屈曲部に連接され且つ開口方向が相反する第一凹状切欠部及び第二凹状切欠部を有する。
【発明の効果】
【０００５】
従来の技術と比較すると、本発明のグローバルポジショニングシステムアンテナは、放射体にスロット及び切欠部を設けることにより、ＧＰＳに所要する作動周波数バンドの共振モードを発生して、小型化という設計要求を満たす。また、本発明のグローバルポジショニングシステムアンテナは、ＦＰＣからなり、強靭性に富んで損傷し難しく、取付け操作が容易である。
【図面の簡単な説明】
【０００６】
【図１】本発明のグローバルポジショニングシステムアンテナの立体図である。
【図２】図１に示したグローバルポジショニングシステムアンテナを別の視点から見た立体図である。
【発明を実施するための形態】
【０００７】
本発明の実施形態に係るグローバルポジショニングシステムアンテナ（以下、ＧＰＳアンテナと略称する。）は、携帯電話及び個人用携帯情報端末（ＰＤＡ）等の無線通信装置に用いられる。以下、図面を参照しながら、本発明の実施形態について詳細に説明する。
【０００８】
図１及び図２に示したように、本発明のＧＰＳアンテナ１００は、フレキシブルプリント配線板（Ｆｌｅｘｉｂｌｅ  Ｐｒｉｎｔｅｄ  Ｃｉｒｃｕｉｔ，  ＦＰＣ）を基材として製作されて、放射体１０、フィードイン端７０及びアース端８０を備える。
【０００９】
前記放射体１０は、順次に連接する開始端部２０、延伸部３０、第一屈曲部４０及び第二屈曲部５０を備える。前記開始端部２０、前記延伸部３０及び前記第一屈曲部４０は同一平面に位置し、前記第二屈曲部５０は別の平面に位置する。
【００１０】
前記開始端部２０及び前記延伸部３０は、全て矩形のシートである。前記延伸部３０の側辺の一部は、前記開始端部２０の片側に連結される。
【００１１】
前記第一屈曲部４０は、略「コ」字状の帯状物（ｆｌａｋｙ  ｍｏｔｅｒｉａｌ）であり、第一連接部４２、第二連接部４４及び第三連接部４６を備える。前記第一連接部４２は、前記延伸部３０の末端に連接されて、且つその全体の延在方向が前記延伸部３０の延在方向に直交する。前記第二連接部４４の両端は、それぞれ前記第一連接部４２及び前記第三連接部４６に直交して連接される。前記第二連接部４４は、前記開始端部２０よりも長い。前記第二連接部４４と前記開始端部２０との間には、略「Ｌ」字状のスロット４８が形成される。前記第三連接部４６は、前記第一連接部４２と間隔をあけて設置され、且つ前記第一連接部４２よりも少し長い。
【００１２】
前記第二屈曲部５０が所在する平面及び前記第一屈曲部４０が所在する平面は、ほぼ直交する。前記第二屈曲部５０は、互いに連接する移行部５２及び延長部５４を備える。前記移行部５２は、略「Ｌ」字状を呈して、前記第三連接部４６の末端に円弧面状の連結部を介して連接される。本実施形態において、前記延長部５４は、略円弧状に湾曲していると共に方形波周期状に形成された帯状体であり、すなわち、開口方向が相反する２つの凹状部を連設させたような形状を有し、その延在方向の上下両側にはそれぞれ正方形である第一凹状切欠部５６及び第二凹状切欠部５８が形成される。
【００１３】
前記フィードイン端７０は、鉤状物であって、当該フィードイン端７０の基端が前記開始端部２０の前記スロット４８側の反対側の側辺に連接され、前記フィードイン端７０は折り曲げられて、当該フィードイン端７０の先端が前記開始端部２０の前記スロット４８側の側辺まで斜めに延伸する。前記フィードイン端７０は、携帯式電子装置の回路基板（図示せず）に設けられた信号フィードイン点に電気接続されて、前記ＧＰＳアンテナ１００に信号をフィードインする。
【００１４】
前記アース端８０の一端は、前記開始端部２０の前記スロット４８側の反対側の側辺に連接され、当該アース端８０は前記フィードイン端７０に平行する。前記アース端８０及び前記フィードイン端７０が所在する平面と前記第一屈曲部４０が所在する平面との間には、一定の夾角が形成される。前記アース端８０の形状が記フィードイン端７０と同じであるので、ここで詳しい説明を省略する。前記アース端８０の自由端は、回路基板の接地点（図示せず）に電気的に接続されて、前記ＧＰＳアンテナ１００を接地させる役割を果たす。
【００１５】
前記ＧＰＳアンテナ１００を携帯式電子装置に装着する場合、前記放射体１０を携帯式電子装置のハウジングの内表面に貼着すればよい。これにより、前記携帯式電子装置上の取付空間を大幅に節約することができる。
【００１６】
また、前記第二屈曲部５０と前記第一屈曲部４０との間の曲げ角度は、前記ハウジングの形状に基づいて変更することができる。
【００１７】
また、前記延長部５４全体は、円弧状ではなく平らでまっすぐな帯状体であってもよい。
【００１８】
また、前記ＧＰＳアンテナ１００のサイズを調節して、前記フィードイン端７０を介して無線信号を受信して、前記放射体１０上に例えば長さが約４８ｍｍである電流経路を形成することができる。
【００１９】
前記ＧＰＳアンテナ１００が作動する時に、１．５７５〜１．５８０ＧＨｚの共振周波数を発生して、グローバルポジショニングシステムの民間用通信衛星の信号周波数の要求を満たす。表１に示したように、テストによって、本発明のＧＰＳアンテナ１００の最大増益（ｄＢ）及び放射効率は作動周波数によって変化し、前記ＧＰＳアンテナ１００はアンテナの設計要求に適っている。
【００２０】
【表１】
2012016010.tif 000003
【００２１】
本発明のＧＰＳアンテナ１００はＦＰＣからなり、強靭性に富んで損傷し難く、且つ取付け操作が容易である。しかも、前記ＧＰＳアンテナ１００は、放射体１０にスロット及び切欠部を設けることにより、アンテナの小型化を実現すると共に、ＧＰＳに所要する作動周波数バンドの共振モードを発生する。従って、本発明のＧＰＳアンテナ１００は、占用空間が小さく、輻射効率が高い。
【００２２】
以上、本発明の好適な実施形態について詳細に説明したが、本発明は前記実施形態に限定されるものではなく、本発明の範囲内で種々の変形又は修正が可能であり、該変形又は修正も、本発明の特許請求の範囲内に含まれるものであることは、言うまでもない。
【符号の説明】
【００２３】
１０              放射体
２０              開始端部
３０              延伸部
４０              第一屈曲部
４２              第一連接部
４４              第二連接部
４６              第三連接部
４８              スロット
５０              第二屈曲部
５２              移行部
５４              延長部
５６              第一凹状切欠部
５８              第二凹状切欠部
７０              フィードイン端
８０              アース端
１００            ＧＰＳアンテナ
【図１】
2012016010.tif 000004
【図２】
2012016010.tif 000005